(57)【要約】【課題】  本発明は体外血液処理に関する。【解決手段】  赤血球採取および濾過のための方法および装置を提供する。赤血球採取組立体は、赤血球分離および採取手順と同時に或いはそのすぐに白血球減少濾過を行うようになっている。このような手順は、分離済み赤血球を、保存溶液でフィルタから流出させた後および／またはこれに先立って希釈状態で濾過することを含む。かくして、保存溶液は、RBCが濾過される前、RBCと共に及び／またはBCが濾過された後に白血球減少フィルタに通される。赤血球採取／濾過／保存組立体は好ましくは、例えば遠心容器およびドナーから血液を取出すための血液取出し／戻し組立体を有する血液成分分離用使い捨て組立体に予め連結され、血液を遠心容器に通し、血液を諸成分に分離し、分離された赤血球成分を採取し、濾過するようになっている。
2005512623.tif 000002
【特許請求の範囲】
【請求項１】
赤血球を白血球減少させる方法であって、
ドナーから最近取出された新たに分離された高いヘマトクリット値の赤血球を用意し、
前記新たに分離された高いヘマトクリット値の赤血球を白血球減少フィルタに押し通し、
前記高いヘマトクリット値の赤血球を白血球減少フィルタに押し通す前記工程後、前記高いヘマトクリット値の赤血球を採取容器に採取することよりなる赤血球の白血球減少方法。
【請求項２】
前記高いヘマトクリット値の赤血球は、ほぼ４０とほぼ９０との間のヘマトクリット値を有する請求項１に記載の方法。
【請求項３】
前記高いヘマトクリット値の赤血球は、約８０のヘマトクリット値を有する請求項１に記載の方法。
【請求項４】
前記高いヘマトクリット値の赤血球は、８０と９５との間のヘマトクリット値を有する請求項１に記載の方法。
【請求項５】
前記押し工程は、非重力を伴う請求項１に記載の方法。
【請求項６】
前記押し工程は、間接圧送力を伴う請求項１に記載の方法。
【請求項７】
前記押し工程の後に、溶液を前記白血球減少フィルタを通して流して新たに分離された高いヘマトクリット値の赤血球を前記フィルタから移動させることを更に含む請求項１に記載の方法。
【請求項８】
前記溶液は、保存溶液である請求項７に記載の方法。
【請求項９】
前記溶液は、塩水である請求項７に記載の方法。
【請求項１０】
前記溶液を前記高いヘマトクリット値の赤血球と混合するために前記採取容器に採取することを更に含む請求項７に記載の方法。
【請求項１１】
前記押し工程中に溶液を前記白血球減少フィルタを通して流しそれにより前記溶液を前記高いヘマトクリット値の赤血球と混合することを更に含む請求項１に記載の方法。
【請求項１２】
前記押し工程前に、溶液を前記白血球減少フィルタを通して流しそれにより前記溶液を前記高いヘマトクリット値の赤血球と混合し、
前記溶液および前記高いヘマトクリット値の赤血球を前記採取容器に採取することを更に含む請求項１に記載の方法。
【請求項１３】
前記新たに分離された高いヘマトクリット値の赤血球を前記白血球減少フィルタに押し通す前記工程は、新たに分離された高いヘマトクリット値の赤血球を用意する前記工程とほぼ同時に起こる請求項１に記載の方法。
【請求項１４】
前記新たに分離された高いヘマトクリット値の赤血球を前記白血球減少フィルタに通す前記工程は、新たに分離された高いヘマトクリット値の赤血球を用意する前記工程の後すぐに起こる請求項１に記載の方法。
【請求項１５】
前記通し工程は、前記用意工程のほぼゼロ（０）ないし２時間以内に起こる請求項１に記載の方法。
【請求項１６】
新たに分離された高いヘマトクリット値の赤血球を用意する前記工程は、更に
赤血球および他の血液成分を含有する全血液をドナーから取出し、
分離装置を使用して前記赤血球を前記他の血液成分から分離して新しく分離された高いヘマトクリット値の赤血球を生じることを含む請求項１に記載の方法。
【請求項１７】
前記分離装置は、血漿交換装置である請求項１６に記載の方法。
【請求項１８】
前記分離装置は、遠心分離装置である請求項１６に記載の方法。
【請求項１９】
前記分離装置は、膜に基づいたものである請求項１６に記載の方法。
【請求項２０】
前記分離装置は、実質的に連続した流れ装置である請求項１６に記載の方法。
【請求項２１】
前記装置は、バッチモード装置である請求項１６に記載の方法。
【請求項２２】
白血球減少した赤血球を採取する方法であって、
赤血球および他の血液成分を含有している全血液をドナーから取出し、
分離装置を使用して前記全血液中の前記赤血球を前記他の成分から分離して高いヘマトクリット値の分離済み赤血球を生じさせ、
前記高いヘマトクリット値の分離済み赤血球を、白血球減少フィルタと赤血球採取溜め部とを有する赤血球採取組立体へ流すことを具備し、前記流す工程は
前記高いヘマトクリット値の分離済み赤血球を前記分離装置から前記白血球減少フィルタに押し通して前記赤血球採取溜め部へ送ることを含む、白血球減少した赤血球を採取する方法。
【請求項２３】
前記赤血球採取組立体は、更にこれを保存溶液源に連結するための無菌バリア／スパイク組立体を備えており、前記無菌バリア／スパイク組立体は前記分離装置と前記白血球減少フィルタとの間に介在されており、前記方法は、更に
前記無菌バリア／スパイク組立体を保存溶液源に連結し、
前記高いヘマトクリット値の分離済み赤血球を前記白血球減少フィルタに押し通す前記工程後に保存溶液を前記高いヘマトクリット値の分離済み赤血球に添加することを含む請求項２２に記載の方法。
【請求項２４】
前記赤血球採取組立体は、更にこれを保存溶液源に連結するための無菌バリア／スパイク組立体を備えており、前記無菌バリア／スパイク組立体は前記分離装置と前記白血球減少フィルタとの間に介在されており、前記方法は、更に
前記無菌バリア／スパイク組立体を保存溶液源に連結し、
前記高いヘマトクリット値の分離済み赤血球を前記白血球減少フィルタに押し通す前記工程中に保存溶液を前記高いヘマトクリット値の分離済み赤血球に添加することを含む請求項２２に記載の方法。
【請求項２５】
前記赤血球採取組立体は、更にこれを保存溶液源に連結するための無菌バリア／スパイク組立体を備えており、前記無菌バリア／スパイク組立体は前記分離装置と前記白血球減少フィルタとの間に介在されており、前記方法は、更に
前記無菌バリア／スパイク組立体を保存溶液源に連結し、
前記高いヘマトクリット値の分離済み赤血球を前記白血球減少フィルタに押し通す前記工程前に保存溶液を前記高いヘマトクリット値の分離済み赤血球に添加することを含む請求項２２に記載の方法。
【請求項２６】
前記赤血球採取溜め部は、第１赤血球採取溜め部であり、前記赤血球採取組立体は、更に前記白血球減少フィルタの後に前記第１赤血球採取溜め部と平行に配置されている第２赤血球採取溜め部を備えており、前記方法は、更に
前記高いヘマトクリット値の分離済み赤血球を前記分離装置から前記白血球減少フィルタに押入れてこれを通して第１および第２赤血球採取溜め部に同時に押入れることを含む請求項２２に記載の方法。
【請求項２７】
前記赤血球採取溜め部は、第１赤血球採取溜め部であり、前記赤血球採取組立体は、更に前記白血球減少フィルタの後に前記第１赤血球採取溜め部と平行に配置されている第２赤血球採取溜め部を備えており、前記方法は、更に
前記高いヘマトクリット値の分離済み赤血球を前記分離装置から前記白血球減少フィルタに押入れてこれを通してまず第１および第２赤血球採取溜め部のうちの一方に、次いで第１および第２赤血球採取溜め部のうちの他方に押入れることを含む請求項２２に記載の方法。
【請求項２８】
溶液源を用意し、
溶液を前記源から前記白血球減少フィルタを通して流して前記フィルタにあるいずれの分離済みの高いヘマトクリット値の赤血球をも移動させることを更に含む請求項２２に記載の方法。
【請求項２９】
溶液を流す前記工程は、
溶液を前記白血球減少フィルタと前記赤血球採取溜め部との間の前記赤血球採取組立体に添加することを含む請求項２２に記載の方法。
【請求項３０】
血液を少なくとも１つの高いヘマトクリット値の赤血球成分に分離して前記高いヘマトクリット値の赤血球成分を採取し且つ白血球減少するための血漿交換装置用の使い捨て組立体であって、
ドナー／患者から血液を取出すための血液取出し組立体と、
前記血液取出し組立体に連結されており、且つドナー／患者から受入れられた血液を高いヘマトクリット値の赤血球を含む血液成分に分離するための分離装置と共同の血液処理容器と、
前記血液処理容器に連結された赤血球採取組立体とを備えており、この赤血球採取組立体は、
前記血液処理容器から高いヘマトクリット値の赤血球を受入れるように配置された白血球減少フィルタと、
前記白血球減少フィルタに連結された赤血球採取容器とを備えており、
かくして、赤血球採取組立体は、前記高いヘマトクリット値の赤血球を前記白血球減少フィルタに押し通し、前記高いヘマトクリット値の赤血球を前記白血球減少フィルタに押し通した後に前記高いヘマトクリット値の赤血球を前記採取容器に採取するようになっている使い捨て組立体。
【請求項３１】
前記採取容器は、更に前記白血球減少フィルタへ高いヘマトクリット値の赤血球の押し通しの完了後、溶液を前記白血球減少フィルタを通して流し、前記高いヘマトクリット値の赤血球との混合のために前記溶液を前記保存容器に採取するようになっている請求項３０に記載の使い捨て組立体。
【請求項３２】
前記溶液は、保存溶液である請求項３１に記載の使い捨て組立体。
【請求項３３】
前記溶液は、塩水である請求項３１に記載の使い捨て組立体。
【請求項３４】
前記溶液は、前記白血球減少フィルタへの前記高いヘマトクリット値の赤血球の押し通し中、前記白血球減少フィルタを通って流れ、それにより前記溶液を前記高いヘマトクリット値の赤血球と混合し、前記溶液および前記高いヘマトクリット値の赤血球を前記赤血球採取容器に採取する請求項３１に記載の使い捨て組立体。
【請求項３５】
保存溶液容器と、
前記保存溶液容器と前記赤血球採取容器との間に連結されている第１配管路と、
保存溶液を前記第１配管路を通して前記赤血球採取容器に送るために前記第１配管路を開放するための、前記第１配管路に設けられたクランプとを更に備えている請求項３０に記載の使い捨て組立体。
【請求項３６】
前記赤血球採取容器に連結されていて、保存溶液容器に選択的に連結可能である第１配管路と、
保存溶液を通すように前記第１配管路を前記保存溶液容器に連結するための、前記第１配管路に設けられたスパイクコネクタとを更に備えている請求項３０に記載の使い捨て組立体。
【請求項３７】
前記赤血球採取容器に連結されていて、保存溶液容器に選択的に連結可能である第１配管路を更に備えており、
前記第１配管路には、前記第１配管路を、保存溶液を圧送するようになっているポンプと関連させるためのポンプループが形成されている請求項３０に記載の使い捨て組立体。
【請求項３８】
前記赤血球採取容器に連結されて前記赤血球採取容器から空気を受入れるための空気除去バッグを更に備えている請求項３０に記載の使い捨て組立体。
【請求項３９】
前記赤血球採取容器は、第１赤血球採取容器であり、前記赤血球採取組立体は、前記白血球減少フィルタに連結され且つ前記白血球減少フィルタの後に配置されている第２赤血球採取容器を更に備えており、前記使い捨て組立体は、更に、高いヘマトクリット値の赤血球を前記分離装置から前記白血球減少フィルタに通し、且つこれを通して前記第１および第２赤血球採取容器に同時に通すようになっている請求項３０に記載の使い捨て組立体。
【請求項４０】
前記赤血球採取容器は、第１赤血球採取容器であり、前記赤血球採取組立体は、前記白血球減少フィルタに連結され且つ前記白血球減少フィルタの後に配置されている第２赤血球採取容器を更に備えており、前記使い捨て組立体は、更に、高いヘマトクリット値の赤血球を前記分離装置から前記白血球減少フィルタに通し、且つこれを通してまず前記第１および第２赤血球採取容器のうちの一方に、次いで前記第１および第２赤血球採取容器のうちの他方に通すようになっている請求項３０に記載の使い捨て組立体。
【請求項４１】
前記赤血球採取容器は、第１赤血球採取容器であり、前記赤血球採取組立体は、第２赤血球採取容器および第２白血球減少フィルタを備えており、前記第２白血球減少フィルタは、前記第２赤血球採取容器と連通して配置されており、前記使い捨て組立体は、更に、高いヘマトクリット値の赤血球を前記分離装置から前記第１および第２白血球減少フィルタに同時に通し、かくして前記第１および第２赤血球採取容器に同時に通すようになっている請求項３０に記載の使い捨て組立体。
【請求項４２】
前記赤血球採取容器は、第１赤血球採取容器であり、前記赤血球採取組立体は、第２赤血球採取容器および第２白血球減少フィルタを備えており、前記第２白血球減少フィルタは、前記第２赤血球採取容器と連通して配置されており、前記使い捨て組立体は、更に、高いヘマトクリット値の赤血球を前記分離装置から前記第１白血球減少フィルタに通してまず前記第１赤血球採取容器に、次いで前記第２白血球減少フィルタに通して前記第２赤血球採取溜め部に入れるようになっている請求項３０に記載の使い捨て組立体。
【請求項４３】
血小板を採取しようとするときに、前記カセット組立体に連結されて、分離された血小板を受入れるための血小板採取バッグを備えている請求項３０に記載の使い捨て組立体。
【請求項４４】
血漿を採取しようときに前記カセット組立体に連結される血漿採取バッグを備えている請求項３０に記載の使い捨て組立体。
【請求項４５】
前記血液取出し組立体と、前記流入組立体と、前記処理容器と、前記赤血球採取組立体との間でそれらに連結されているカセット組立体を備えており、前記カセット組立体は血液および血液成分を通すための一体の流体通路を備えている請求項３０に記載の使い捨て組立体。
【請求項４６】
血液を少なくとも１つの高いヘマトクリット値の赤血球成分に分離し、この高いヘマトクリット値の赤血球成分を採取し且つ白血球減少させるための使い捨て組立体であって、
ドナー／患者から血液を受入れるための血液取出し組立体と、
前記血液取出し組立体に連結されていて、受入れられた血液の流入流れを通す流入組立体と、
受入れられた血液の流入流れを受入れるために前記流入組立体に連結されていて、ドナー／患者から受入れられた血液を高いヘマトクリット値の赤血球を含む血液成分に分離するための分離装置と共同の血液処理容器と、
前記血液処理容器に連結されている赤血球採取組立体とを備えており、この赤血球採取組立体は、
前記血液処理容器から高いヘマトクリット値の赤血球を受入れるように配置されている白血球減少フィルタと、
前記白血球減少フィルタに連結されている赤血球採取容器とを備えており、
それにより、前記高いヘマトクリット値の赤血球は前記血液処理容器への受入れられた血液の流入流れにより前記血液処理容器から前記白血球減少フィルタを通して押出されるようになっている使い捨て組立体。
【請求項４７】
前記血液取出し組立体と、前記流入組立体と、前記処理容器と、前記赤血球採取組立体との間でそれらに連結されているカセット組立体を備えており、前記カセット組立体は血液および血液成分を通すための一体の流体通路を備えている請求項４６に記載の使い捨て組立体。
【請求項４８】
前記流入組立体は更に、
前記カセット組立体および前記血液処理容器に連結されている流入管路を備えており、
前記カセット組立体は更に、
流入ポンプと協働するようになっている流入配管ループと、
前記流入配管ループおよび前記流入配管路に連結されている一体の流体通路とを備えており、それにより受入れられた血液は前記流入ポンプの圧送作用下で前記流入配管ループ、カセットおよび流入管路を通って流れて分離された赤血球を血液処理容器から前記白血球減少フィルタを通して押出すようになっている請求項４７に記載の使い捨て組立体。
【請求項４９】
カセットに設けられ、保存溶液を前記白血球減少フィルタを通して圧送するためのポンプと協働するようになっている配管ループを更に備えている請求項４８に記載の使い捨て組立体。
【請求項５０】
前記流入組立体は更に、
前記血液処理容器に連結されている流入配管路を備えており、
前記使い捨て組立体は更に、
流入ポンプと協働するようになっている流入配管路を備えており、それにより、受入れられた血液は前記流入ポンプの圧送作用下で前記流入配管ループおよび流入管路を通って流れて分離された赤血球を血液処理容器から前記白血球減少フィルタを通して押出すようになっている請求項４７に記載の使い捨て組立体。
【請求項５１】
保存溶液を前記白血球減少フィルタを通して圧送するためのポンプと協働するようになっている溶液廃刊ループを更に備えている請求項４７に記載の使い捨て組立体。
【発明の詳細な説明】
【技術分野】
【０００１】
［関連出願に対するクロスリファレンス］
本出願は２００１年１２月１０日に出願された（本文と一致しない程度に全体的に参照することによりここに組み入れられる）米国特許出願第６０／３３９６５３の優先権を請求するものである。
【０００２】
本発明は一般に血液成分採取に特に有用な体外血液処理方法および装置に関し、より詳細には、本発明は、好ましくは血漿交換装置で採取された赤血球を白血球減少させる方法および装置に関する。
【背景技術】
【０００３】
１つの周知な種類の体外血液処理は、採取または治療の目的で血液をドナーまたは患者（以後、ドナーと称する）から取出し、血液成分分離装置(例えば、遠心式)に差し向け、種々の血液成分の種類（例えば、赤血球、白血球、血小板、血漿）に分離する血漿交換装置を必要とする。これらの血液成分の種類の１つまたはそれ以上またはすべてが採取され、および／または保存するか或いは患者へ戻す前に治療目的で処理され、残り種類がドナーまたは患者に単に戻される。１つのこのような装置は赤血球のような興味ある特定の成分を採取し、他の血液成分種類のすべてをドナーに戻す装置である。
【０００４】
多数の要因が血漿交換装置の商業的実行可能性に影響することがある。１つの要因は血漿交換装置を準備し、作動するのに個人の必要とされる時間および／または専門技術に関する。例えば、オペレータが採取手順全体を完了するのに必要とする時間を短縮し、ならびにこれらの行動の複雑さを減少させることにより、生産性を高め、および／またはオペレータの過失の可能性を低下することができる。しかも、オペレータへの装置の依存性を減少させることにより、これらの装置のオペレータのための望まれる／必要とされる信用証明が低下してしまう。
【０００５】
また、ドナー関連の要因は血漿交換装置の商業的実行可能性に影響を与え、これらのドナー関連の要因としては、例えば、ドナーの便利性およびドナーの快適さがある。例えば、ドナー／患者は、献血または治療手順にかかわる時間量が制限されている。その結果、採取または処理設備において血液成分を採取したり処理したりするために実際に費やされる時間量は重要な考慮事項である。これは、実際の採取手順がいくらか不快にするときには、ドナーの快適さにも関係している。何故なら、この手順全体にわたって少なくとも１つおよびときどき２つのアクセス針をドナーに配置するからである。
【０００６】
また、性能関係の要因は血漿交換装置の商業的実行可能性に影響する。性能は、製品の品質に影響するか、或いは品質を向上させ、および／または処理時間の量を短縮し、かくしてオペレータの負担を軽減し且つドナーの便利性を高める血漿交換装置の採取能率に関して判断される。装置の採取能率は、もちろん様々な方法で、例えば、血漿交換装置を通る特定の血液成分の種類に次いで採取されたその種類の量により測定される。また、性能は、血漿交換装置が種々の血液成分の種類に及ぼす効果に基づいて評価されてもよい。例えば、血漿交換手順の結果、血液成分の種類に対する悪効果（例えば、血小板活性化の減少）を最小化することが望ましい。
【０００７】
他の性能関係の要因は採取された血液成分の最終品質である。例えば、赤血球が採取すべき成分であるなら、かかる赤血球が白血球の除去により白血球減少されることが一般に望ましい。白血球は採取された血液成分の最終受納者に問題をもたらすことがある。白血球を含有する輸血製品は免疫反応およびウイルス病を誘発することがある。従来、採取された血液製品または成分から白血球を除去するのにフィルタが使用されていた。例えば、米国特許第5,954,971号は、採取に先立って希釈された血液成分を濾過するためのフィルタを血漿交換装置に使用していることを開示している。他の別の方法も使用されてきており、これらの方法は一般に濾過に先立って採取された成分の予備冷却および／または夜通しの保存のような特別な予備工程を指示している。他の別の従来の濾過工程は、赤血球フィルタを介して処理すべき血液成分の残り部分の実質的な回収のために重要と思われた濾過手順の終了時に排気または空気取扱い／再循環または迂回である。白血球減少のために使用されている他の技術は白血球フィルタを通して赤血球を活発に圧送する技術である。しかしながら、かかる活発圧送の結果、赤血球が損傷し、かくして採取された成分の最終品質に影響する。また、血漿交換分離と関連して赤血球濾過のための装置および方法が米国特許出願第09/672,519号（2000年9月27日出願、共通所有）並びに米国特許出願第09/714,390号（2000年11月16日出願、共通所有）２、３に開示されている（これらの開示は参照により十分に記載されているかのようにここに組み入れられる）。更に、血漿交換赤血球分離および採取についての背景がＰＣＴ出願第WO99/11305号（これも参照によりここに組み入れられる）で見られる。
【発明の開示】
【課題を解決するための手段】
【０００８】
本発明は一般に体外血液処理に関する。（例えば、後の輸血のために或いは治療上の「不健康な」血液成分除去のために「健康な」血球または他の血液成分がドナーの血液から除去される血液成分採取についてであろうとも）好ましくは、本発明の種々の面の各々が血漿交換装置に組み入れられるので、本発明をこのような血漿交換装置に好適に関連して説明する。血漿交換は、しばしばドナーへの或る血液成分の戻しを伴う。しかしながら、本発明の或る面は、すべての献血された血液成分が保持される体外血液処理用途に適しており、かかる用途も本発明の範囲内のものとする。
【０００９】
本発明の１つまたはそれ以上の面に使用し得る血漿交換装置は一般に少なくとも血液成分分離装置(例えば、膜式分離装置および／またはロータとチャンネルとの組合せのような回転可能な遠心要素)を備えており、この血液成分分離装置は血液をその血液成分の種類（例えば、赤血球、白血球、血小板および／または血漿）に分離するのに必要とされる機構および／または力を与える。１つの好適な実施例では、分離装置は使い捨て血液処理容器を受入れる遠心チャンネルを有している。代表的には、ドナーまたはおそらく患者（以後、一括してドナーと称する）が体外配管回路により血液処理容器と繋がれ、好ましくは、血液処理容器および体外配管回路は共同して閉鎖無菌装置を構成する。流体相互連結が確立されると、採取または治療のために少なくとも１種類の血液成分が血液から分離され、除去されるように、血液はドナーまたは患者から取出され、血液成分分離装置に差し向けられる。
【００１０】
本発明の一面は白血球減少された赤血球を与えるように使用される体外血液処理装置に関しており、この装置は、一実施例では、血液処理容器に隣接して連結されている１つまたはそれ以上の可撓性配管路と、分離済み赤血球のような選択された分離済み血液成分種類を濾過するための濾過装置とを有している使い捨て組立体を備えている。濾過装置は、好ましくは血液処理容器と採取容器との間に配置されている。一実施例では、多数組の対応する第１および第２配管路および採取容器が設けられており、これらの組の各々は血液成分を別体の採取容器に選択的に採取するようになっているか、或いはドナーの戻すようになっている。このような構成の使用によれば、血液成分分離装置に対して信頼できる方法で容易に取付けることができるコンパクトな使い捨て組立体が生じる。
【００１１】
本発明の他の面は血漿交換血液処理装置を使用する赤血球の体外分離および採取に関する。より詳細には、このような分離および採取のための方法は、血液成分分離装置の血液処理容器内の血液から高いヘマトクリット値の赤血球を分離し、分離された赤血球の少なくとも一部を血液処理容器に予め連結された配管路とは別の赤血球採取容器内に採取することを含む。かかる赤血球は単独で分離されて採取されてもよく、或いは血小板および／または血漿のような他の血液成分の前または後、或いは他の血液成分と同時に分離されて採取されてもよい。本発明によれば、採取容器への赤血球の最終採取の前に、赤血球は濾過装置を介して濾過される。この濾過は好ましくは全体の分離手順中に起こるが、採取手順の開始後すぐにその一部として開始することもできる。それにもかかわらず、分離手順は連続方法でもバッチ方法でもよく、いずれの場合にも、濾過は、処理容器からの分離済みの高いヘマトクリット値の赤血球の取出し時、またはその後すぐに、より好ましくは全体の分離工程と同時に或いはその後すぐに起こる。連続分離工程では、この赤血球濾過は、処理容器からの分離済み赤血球の連続的な分離および取出し中に連続的に行うことができる。これに関連して、語「後」は分離容器における後分離のみを意味しており、分離工程全体を濾過に先立って完了しなければならないことを意味していない。
【００１２】
本発明の更なる面は採取すべき赤血球成分を濾過するための白血球減少フィルタを有する血漿交換用使い捨て組立体に関する。この面と関連して、本発明は血液を成分に分離するための分離容器と、内部通路を持つ流体流れカセットと、分離容器からの赤血球の取出し時またはその後すぐに、より好ましくは全体の分離工程と同時に或いはその後すぐに分離済み赤血球を濾過するための白血球減少フィルタとを備えている予備連結式使い捨て組立体を提供する。以上のように、副詞修飾語「後」は完了すべき全分離工程全体を必要とせずに後分離のみを意味するものである。
【００１３】
本発明の更に他の面は白血球減少フィルタを有する予備連結式使い捨て組立体を使用するための方法に関する。この方法は一般に、ドナーの血液からの赤血球の分離後、短い時間内で分離済み赤血球をフィルタに押し通すことを含む。一実施例では、分離済み赤血球はフィルタに無抵抗的に押し通される。この方法の他の面は、フィルタを通って流れる前に、および/または濾過中の赤血球および/または白血球減少フィルタによる濾過完了後の赤血球と共に、添加剤または保存溶液を白血球減少フィルタを通してリンスするか或いは流す。
【００１４】
他の面では、分離済み赤血球は血漿交換装置における分離後に存在するときに高いヘマトクリット値の状態で濾過されてもよい。ここでも、濾過は全体血漿交換方法中またはその後すぐに行ってもよい。以上のように、語句「分離後」は全体分離工程の完了を必要としない。かかる濾過前および／または中および／または後に添加剤／保存溶液を赤血球に添加してもよく、好ましくは添加する。かくして、添加剤／保存溶液は赤血球を濾過した後にフィルタを通して流されてもよい。一実施例では、添加剤／保存溶液はフィルタに押し通され、他の実施例では、添加剤／保存溶液はフィルタに重力供給され、更に他の実施例では、添加剤／保存溶液は別のポンプを介してフィルタを通して圧送されてもよい。保存溶液を加圧するための別の装置を使用してもよく、これらの方法は特に採取される赤血球に対する保存溶液の所望の比例的な流れをもたらすように弁および選択自由の流量計または流体検出器を有してもよい。
【発明を実施するための最良の形態】
【００１５】
本発明をその適切な特徴を示すのを助ける添付図面と関連して説明する。一般に、本発明の主な面は血液血漿交換装置に使用する副組立体またはその手順上および構造上の改良に関する。しかしながら、これらの改良のいくつかはいずれかの血液成分がドナーに直接戻されるようと戻されまいといずれにしても他の体外血液処理用途に適用可能であり、これらも本発明の範囲内である。
【００１６】
本発明で使用するための好適な血液血漿交換装置２が図１に概略的に示されている。この装置２は好ましくは連続血液成分分離方法に対処している。一般に、血液全体がドナー４から抜取られ、実質的に連続して血液成分分離装置６に供給され、そこで血液は連続して種々の成分種類に分離され、これらの成分種類のうちの少なくとも１つまたはそれ以上が好ましくは連続して装置６に採取される。次いで、分離された血液成分のうちの１つまたはそれ以上が採取および輸血を介して他の人によるその後の使用に供されか、或いは採取されないでドナー４に戻される。或る分離血液成分の治療上の処理および即座に近い戻しもまた実行可能なさほど一般的でない別の用途である。また、治療上の処理のために、血液は後述のように患者のベッドのそばで患者へ戻すために本発明の原理を使用してろ過で成分に分離されてもよいこともわかるであろう。
【００１７】
血液血漿交換装置２において、血液はドナー４から抜取られ、閉鎖無菌使い捨て装置を構成する対外配管回路１０および一実施例では対外処理器を有している予備連結バッグ/配管装置８に通される。この装置８は好ましくは使い捨て可能であり、血液成分分離装置６に設けられるようになっている。分離装置６は好ましくは対外配管回路１０とインターファース接続するためのポンプ／弁／センサ／組立体１０００と、使い捨て血液処理容器３５２とインターファース接続するためのチャンネル組立体２００とを備えている。
【００１８】
チャンネル組立体２００は、遠心分離により血液をその種々の成分に分離するのに必要とされる遠心力を与える回転可能な遠心ロー多組立体５６８と回転可能に相互連結されているチャンネルハウジング２０４を備えている。血液処理容器３５２はチャンネルハウジング２０４内に相互嵌合されている。かくして上記のように連結されると、血液を実質的に連続してドナー４から体外配管回路１０を通して回転血液処理容器３５２に流入させることができる。血液処理容器３５２内の血液は連続的に種々の血液成分種類に分離され、これらの血液成分種類うちの少なくとも１種類が（例えば、血小板、血漿または赤血球）好ましくは連続的に血液処理容器３５２から取出される。採取または治療処理ために保持されていない血液成分（例えば、血小板および／または血漿）が好ましくは血液処理容器３５２から取出され、対外配管回路１０を経てドナー４に戻される。なお、血液成分がドナーに戻されるか戻されないかいずれにしても、或いは戻されなくても、バッチ処理装置（全血液の非連続流入および／または分離された血液成分の非連続流出）または小規模のバッチ式または連続的RBC／血漿分離装置を含めて、種々の別の血漿交換装置（図示せず）もまた本発明を使用し得る。
【００１９】
血液成分分離装置６の作動は好ましくはそれに含まれる１つまたはそれ以上の処理器により制御され、血液成分分離装置６は有利には常時増加しているPCユーザー設備（例えば、CDROM、モデム、オーディオ、ネットワークおよび他の可能設備）とのインターフェースを受入れるために複数の埋込みコンピュータ処理器を備えている。これに関連して、血漿交換装置２の作動の種々の面で血漿交換装置２のオペレータを補助するために、好ましくは、血液成分分離装置６は好ましくは相互作用トーチスクリーン６６４とのグラフィカルインターフェース６６０を備えている。
【００２０】
ガンブロトリマ（商標名）装置およびトリマ（商標名）アクセル（商標名）装置（関連会社から本願の譲受人、コロラド、レークウッドのガンブロBCT社へ譲渡）のような好適な血漿交換装置の作動に関する更なる詳細が中でも例えばWO99／11305および米国特許第5,653,887号、第5,676,644号、第5,702,357号、第5,720,716号、第5,722,946号、第5,738,644号、第5,750,025号、第5,795,317号、第5,837,150号、第5,919,154号、第5,921,950号、第5,941,842号および第6,129,656号に見られる。これらの開示はまるで十分に記載されているようにここに組入れられる。例えば、バックスターCS３０００（商標名）および／またはアミカス（商標名）および／またはオートフェレシスーC（商標名）および／またはアルブクス装置、および／またはハエモネチックスMCS（商標名）またはMCS（商標名）＋および／またはフレセニウスCOM．TEC（商標名）またはAS-104（商標名）および／または同様な装置のような複数の他の公知の血漿交換装置もまた有用である。
【００２１】
使い捨て装置：対外配管回路
図２、図３および図４に示すように、予め連結された体外配管回路１０が示されており、この体外配管回路１０はカセット組立体１１０と、これと相互連結された複数の配管／採取組立体２０、５０、６０、１００、９０、９５０、９８０とを有している。好ましくは、血液取出し／戻し配管組立体２０がドナー４と配管回路１０の残部との間の単一針式インターフェースをなしている（しかし、２針式構成（図示せず）を使用してもよい）。好ましくは、血液をドナーから取出したりドナーに戻したりするための少なくとも２つの管路２２、２４が組立体２０に設けられている（図３参照）。この実施例はカセット組立体１１０を有しており、このカセット組立体１１０は、これにドナーを繋ぐ配管組立体２０と、カセット組立体１１０と血液処理容器３５２との間のインターフェースをなす血液流入／血液成分配管副組立体６０との間に連結されている。血液および成分を処理器３５２へおよびから搬送するための３つの管路６２、６４、６８が図２および図３に示されている。この実施例では、凝固防止剤配管組立体５０、血漿採取配管／バッグ組立体９０、赤血球採取組立体９５０、ベントバッグ配管副組立体１００および添加剤溶液組立体９８０もまたカセット組立体１１０と連結されている。わかるように、体外配管回路１０および血液処理容器３５２は好ましくは組み合わせで一回使用のための閉鎖された予備殺菌済み使い捨て組立体を生じるように予め相互連結されている。
【００２２】
以上に挙げた特許の開示は本発明で使用するための血漿交換装置の多くの更なる詳細を含んでいる。かかる詳細は、特に赤血球（以後、RBCと称する）採取方法および／または他のRBC方法に関する詳細のうちの幾つか以外はここでは繰返さない。他の血液成分分離および採取方法を、本開示の特徴に含まれるか或いは多少関連する種々の箇所で論じている。
【００２３】
特定の例については、カセット組立体１１０のカセット１１５の一体RBC通路１７０と連結されている血液流入／血液成分配管組立体６０のRBC流出配管路６４が処理器３５２から出ている（図２および図３参照）。一体RBC通路１７０は第１および第２スパー１７０a、１７０ｂを有している。第１スパー１７０aはRBCをドナー４に戻すためにRBC戻し配管ループ１７２と連結されている。かかる目的で、RBC戻し配管ループ１７２は好ましくはカセット組立体１１０の血液戻し溜め部１５０の頂部に連結されている。第２スパー１７０ｂは、ここでは好ましいように、使用中、RBCを採取するためのRBC採取配管組立体９５０（例えば、図２、図３および図４参照）と連結されてもよい。RBC採取配管／バッグ組立体９５０は好ましくはスパー１７０ｂと連通しているRBC採取配管路９５１と、この管路９５１と連通している第２採取配管路９５２と、RBC白血球減少フィルタ９６０を有するRBC濾過服組立体と、RBC採取溜め部またはバッグ９５４と、空気除去バッグ９６２とを有している。バッグ９５４は配管路９６５によりフィルタ９６０に連結されている。管路９６５に任意のクランプ９６６（図４参照）を設けてもよい。空気除去バッグ９６２は任意のクランプ９６３（図４参照）を取付けていてもよい配管路９６１によりRBC採取バッグ９５４に取付けられている。RBC採取配管路／フィルタ／容器副組立体９５０は好ましくは使い捨て組立体８／１０の予備連結部分である。
【００２４】
別の配管セットフィルタ／採取バッグ組立体９５０aが図５に示されており、この組立体９５０aは、分岐配管路９６５aを通り連結部９９１のY形部を経てフィルタ９６０に連結された第２採取バッグ９５４aを有している。好ましくは、更なる空気バッグ９６２aが配管路９６１aを経て第２バッグ９５４aに連結されている。流れを所望のバッグに差し向けるのに摺動クランプ９６６a、９６６ｂが使用される。
【００２５】
更にべつの実施例が図６に示されており、この実施例は、関連構成要素（例えば、空気バッグ９６２aなど）を有する第２採取バッグ９５４aと、バッグ９５４aと流入管路９５２との間に管路９５２a、９６５aをたて連結されている前記フィルタ９６０に加えて第２フィルタ９６０aとを有している組立体９５０ｂである。分岐コネクタすなわちY字形コネクタ９９１aにより、分岐管９５２aと、第１フィルタ９６０に通じる分岐管９５２ｂとの間に分割流れを生じる。また、摺動クランプ９６６a、９６６ｂを使用して流れをそれぞれのフィルタに差し向けてもよい。
【００２６】
図１に示す実施例は連結された一対の添加剤溶液バッグ９７０を有しているが、図２および図３の別の実施例は、後で更に詳細に述べるように、好ましくは無菌塩水溶液または添加剤血漿または添加剤保存溶液のような添加剤流体を例えばバッグ装置９５０内の採取製品に取付けて供給するための添加剤流体配管組立体９８０を有している。図２および図３に示すように、添加剤流体組立体９８０は内部添加剤流体通路１４０ｃと流体連通状態でカセット１１０に取付けられている少なくとも１つの添加剤流体流入配管路９８２を有しており、前記内部添加剤流体通路１４０ｃはカセット１１０および内部添加剤流体通路１４０ｄに連結されている添加剤流体配管ループ１４２に連結されている。２つの更なる内部通路またはスパー１４４ｃ、１４４ｄおよび配管１４５、１４６も図２および図３の別の実施例に示されている。これらの通路１４０ｃ、１４０ｄ、１４４ｃ、１４４ｄおよび配管ループ／配管１４２、１４５、１４６は図示のように、好ましくは以上で参照した米国特許の多くに記載の血小板通路に構造上類似しているが、同様に他の形態をとってもよい。実際、図２および図３の実施例の別の内部通路１４４ｄ、１４５は、図示のように、その中の、またはそれを通るいずれの流体の流れをも許容しないように遮断されてもよい。なお、この実施例では、これらの通路に流出配管路が連結されていないが、これらの流れチャンネルは当業界で理解されているように血小板または他の血液成分の採取管路と対応することができ、以下に図１０について述べる血小板採取組立体と関連して別の用途を参照せよ。図２および図３の実施例についての場合、多くの面で構造上同様であるが、その構成要素を血小板組立体構成要素とは対照的に添加剤流体要素と称する。血小板組立体または添加剤流体組立体と関連して適用することができる他の構成要素にもこの別の命名手法を使用し、例えば、以後、（当業界で説明されている）血小板または添加剤流体流入ポンプを添加剤溶液ポンプと称する。なお、１つの更なる相違点はコネクタ９７９を経て配管路９５１、９５２への配管コネクタ１４６の連結である。
【００２７】
添加剤流体組立体９８０は更に好ましくは、夫々のスパイク９８５a、９８５ｂを持つ（図示のように）１つまたはそれ以上のスパイク組立体９８４a、９８４ｂと、関連バリア層地９８６a、９８６ｂと、図示のようにY字形コネクタ９８９を経て配管路９８２に連結し得る配管連結管路９８８a、９８８bとを有している。なお、前記装置のうちのたった１つまたは１つ以上が必要であることもあり、例えば、恐らく、１つより多い溶液バッグの場合でも、１つの無菌バリア装置を使用してもよい。１つまたはそれ以上の摺動クランプ９９０および／またはレベル感知または流体検出装置９９５が設けられてもよい。
【００２８】
更に、カセット組立体１１０は第１一体型添加剤流体通路１４０ｃおよび第２一体添加剤流体通路１４０ｄを相互連結するポンプ係合用添加剤流体流入配管ループ１４２を有している。第２一体型添加剤流体通路１４０ｄは第１および第２スパー１４４ｃ、１４４ｄを有している。第２添加剤流体通路１４０ｄの第２スパー１４４ｃ（図２および図３）はフィルタ９６０、次いでバッグ９５４に最終的に供給するためのRBC流出管路９５２を通して添加剤流体を供給するために添加剤流体配管１４６と連結されている。カセット部材１１５はまた貫通する窓部１１８を構成する一体フレームコーナ１１６を有している。フレームコーナ１１６は、例えば、コネクタ１４５および添加剤溶液配管１４６を有する配管セグメントを血漿交換装置６における弁／クランプ部材と最終係合可能に窓部１１８内で所定の隔てられた関係で受入れて配向させるための窓部１１８のアクセス開口部を有している。このような弁／クランプは、作動されると、例えば、ループ１４６を通る流れを制御する。
【００２９】
カセット１１５の介在位置において、血液流入／血液成分配管組立体６０の血漿配管６８（図２および図３参照）がカセット組立体１１０の第１一体血漿通路１６０a（図３参照）と連結している（なお、これは血漿採取副組立体であるが、血小板のような他の成分はここでは或いは同様な構成では別に採取される）。更に、カセット組立体１１０は第１一体血漿通路１６０aおよび第２一体血漿通路１６０ｂを相互連結するポンプ係合用血漿配管ループ１６２を有している。第２一体血漿通路１６０ｂは第１および第２スパー１６４a、１６４ｂを有している。第１スパー１６４aは配管路９２を経て血漿採取配管組立体９０に連結されている。この血漿採取配管組立体９０は、使用中、血漿を採取するのに用いられてもよく、血漿採取配管９２および血漿採取バッグ９４を有している。血漿採取配管９２には、摺動クランプ９６（図２参照）が設けられてもよい。第２一体血漿通路１６０ｂの第２スパー１６４ｂは血漿をドナー／患者４に戻すために血漿戻し配管ループ１６６に連結されている。かかる目的で、血漿戻し配管ループ１６６はカセット組立体１１０の血液戻し溜め部１５０の頂部に連結されている。わかるように、一括的に戻り血液成分と称する未採取血液成分のうちの、１種類以上、例えば、血漿および／または血小板は、使用中、周期的に溜め部１５０に溜められ、およぶ／または溜め部１５０から取出される。ここでも、カセット組立体１１０の窓部１１８内のフレームを通して弁／クランプアクセスが行われて血漿採取配管９２および血漿戻し配管ループ１６６をこれらを通る流れの制御のための所定の隔てられた関係に保持する。
【００３０】
配管組立体２０、５０、６０、９０、１００、９５０、９５０a、９５０ｂおよび／または９８０およびカセット組立体１１０のほとんどの部分が、好ましくは、例えば、ポリ塩化ビニル（PVC）配管路を含めて、使用中、中の血液／血液成分の視覚観察および監視を許容し得るプラスチック成分から製造されている。中でも、RBC採取配管路９５２、９６５のためのおよび／またはRBC保存溶液スパイク組立体９８０のための実証済み無菌ドッキング（すなわち、配管路の２つの部片の直接連結）のために、所望に応じて、薄壁のPVC配管を用いてもよいことは注意すべきである。本発明の一面と一致して、すべての配管路は全使い捨て組立体の殺菌前に予め連結されて装置の最大の無菌性が維持されるようにする。なお、フィルタ／採取バッグ副組立体９５０を含む配管回路の要素すべての予備連結の非常に望ましい利点は無菌ドッキングが後で必要でないように、完全な予備組立ておよび予備組立て後のその殺菌を伴う。かくして、無菌ドッキングのコストおよび危険性が除去される。変更例として、中でも、実証済み無菌ドッキングRBC採取配管路９５２および／または９６５用に、壁のより厚いPVC配管を用いてもよい。
【００３１】
述べたように、図２の実施例におけるカセット組立体１１０は、使用中、血液成分分離装置６のポンプ／弁／センサ組立体１０００に設けられ、作動的にインターフェースしてもよい。使い捨て組立体８/１０の負荷および血液成分分離装置６との使い捨て組立体８/１０の相互作用を含む血漿交換装置構成の更なる詳細が中でも以上に挙げた特許に見られ、ここでは徹底的には繰返さない。
【００３２】
体外配管回路および血液成分分離装置の作動
血漿交換方法の始動する種々の他の作動は好ましくは中でも以上に挙げた特許に記載のように行われる。しかしながら、一般に、ここでは図７、図８および図９の概略図を特定的に参照して、並びに図１ないし図５を連続参照して、或る基本特徴を説明する。濾過およびRBC採取は、使用した添加剤溶液組立体および特定の処理器を除いて、図１１、図１２および図１３の変更実施例の場合とほぼ同じである。
【００３３】
例えば、血液取出しサブモード中、全血液がドナー４から血液取出し／戻し配管組立体２０の配管路２２の中へ通され、次いで血液成分分離装置６へ搬送される（一般に図７を参照）。装置６では、血液は好ましくはループ１３２を経て圧送されて（図３参照）、カセット組立体１１０および血液流入／血液成分配管組立体６０の管路６２を経て（図７に鎖線で概略的に示す）処理器３５２に流される。次いで、好ましくは容器３５２における実質的に連続した基部において分離処理が起こり、すなわち、血液が実質的に連続して流れ、連続的に分離され、分離された成分として連続的に流れる。容器３５２における分離処理後（分離は連続的に起こる）、未採取の血液成分が処理器３５２からカセット１１０へおよびそれを通ってカセット１１０の溜め部１５０（図２および図３参照）の中へ移送され、次いで所定レベルまで溜め部１５０に蓄えられ、この所定レベルでは、血液成分分離装置６は、単一針式作動において、（連続装置では必要でないが）、血液取出しサブモードを休止し、血液戻しサブモードを開始し、これらの未採取および／または処理済み成分はドナー４に戻される。このように、これらの溜められた成分は血液取出し／戻し配管組立体２０の血液戻し配管路２４の中へ移送され、ドナー４に戻される。単一針式血液戻しモード中、溜め部１５０における蓄えられた戻し血液成分が所定レベルまで取出されると、血液成分分離装置６は血液戻しサブモードを自動的に終了する。これは好ましくは、自動的に血液戻しサブモードを再開始するか、或いは継続するのに役立つ。次いで、血液取出しサブモードと血液戻しサブモードとの間のサイクルは所定量のRBCまたは他の採取血液成分が得られるまで継続する。別の２針方式では、当業界で知られているように、血液がドナー４から連続的に取出され、血液成分がドナー４に連続的に戻される。なお、例えば、ポンプの制御を含めて、このような作動の詳細な機構はここでは詳細に図示したり説明したりしなく、特に図７および図８の概略図に示さない。
【００３４】
また、或る成分を同時に或いは各成分ごとに連続して採取してもよい。一例では、RBCの採取に先立って、血小板を採取してもよく、他方、これらのいずれかと同時に血漿を採取してもよい。この特定例を図１０ないし図１３に示す実施例について説明する。図１ないし図３および図７、図８および図９に示す主な例では、たった２つの成分、すなわち、RBCがRBC副組立体９５０に、血漿（または血小板）が他の採取組立体９０に採取されるものと示されている。十分な量の一成分または他の成分が採取されると、十分な量のすべての成分が採取されるまで、このような成分の更に分離された部分が好ましくは任意の他の未採取成分と共にドナーに戻される。更にわかるように、RBCのみを、ドナーに戻される血漿を含めてすべての他の成分と共に採取することができる。
【００３５】
図２および図３を特定的に参照すると、普通の作動では、全血液がドナー４から針／血液取出し配管組立体２０、カセット組立体１１０および血液流入配管路６２を通って処理器３５２に移る。次いで、全血液は容器３５２において分離される。図示していないが、ここで血小板（または血漿）の流れが分離され、採取組立体（図示していないが、図１１、図１２、図１３および図１４参照）に採取されか、或いは最終的にドナーに戻すために溜め部１５０に差し向けられる。同様に、分離された血漿（または血小板）も容器３５２で分離され、血漿（または血小板）配管組立体９０および管路９２における採取のために（管路６８およびループ１６２を経て）カセット１１０を通って流れるか、或いは溜め部１５０に差し向けられる。更に、（可能性としていくらかの白血球を含めて）赤血球が容器３５２で分離され、容器３５２から好ましくは押し出されてRBC流出配管路６４およびカセット組立体１１０に通され、戻しモードでは溜め部１５０に流入される。好適な変更例では、後述するRBC採取手順中、分離されたRBCは採取のために配管路９５１、９５２を通してRBC採取配管／バッグ／フィルタ組立体９５０に送出される。RBC採取プロトコルは好ましくはここに記載のようにRBC採取バッグ９５４と列をなしてその前に予備連結済み白血球減少フィルタ９６０を使用するRBC濾過方法を含む。この手順を以下に更に説明する。
【００３６】
血液をその成分に分離するための血漿処理の更なる詳細は中でも以上で挙げた特許に見られ、ここでは実質的に繰返さない。しかしながら、別の分離機構が存在するが、遠心分離が好適な分離方法であり、好ましくは、例えば、装置６において遠心ロータ組立体５７８により回転されるチャンネル組立体２００（図１参照）によって行われることは注意すべきである。チャンネル組立体２００は好ましくは配管回路１０の使い捨て血液処理容器３５２を受入れるチャンネルハウジング２０４を有している（図１および図２参照）。
【００３７】
血漿交換プロトコル
前記装置２を利用してドナー４に対する血漿交換手順を行うための１つの好適なプロトコルを以下に要約する。初めに、オペレータが使い捨てプラスチック組立体８を血液成分分離装置６に装填する。このプロトコルに従って、オペレータは種々のバッグ｛例えば、採取バッグ９５４（使用されるなら、９４）；図７参照、以下に更に説明する｝を血液成分分離装置６の夫々のフック（例えば、図７のフック９９６を参照）に吊るす。１つのバッグを使用する場合、オペレータは次いでカセット組立体１１０を装置６における遠心ロータ組立体５６８に設けられている場合のチャンネルハウジング２０４内の装置６および／または血液処理容器３５２に装填する。
【００３８】
体外配管回路１０および血液処理容器３５２が前記のように装填された状態で、針／配管組立体２０のアクセス針をドナー４に挿入することによってドナー４を体外配管回路１０と流体連結する（例えば、図７参照）。また、中でも、以上で挙げた特許のうちの１つ以上に記載のように、好ましくは、ドナー４からの血液について、凝固防止剤配管組立体５０（図２参照）を始動し、血液取出し／戻し配管組立体２０を始動する。また、好ましくは同じ前記特許に記載の方法のような方法に従って、血漿交換手順のために血液処理容器３５２を始動する。一実施例では、血液が血液処理容器３５２に初めに導入されると言う点で血液プライムを使用する。始動手順中、ならびに血漿交換手順の残りの部分全体にわたって、血液は連続的に容器３５２に流され、血液成分種類が好ましくは連続的に互いから分離され、血液成分種類に基づいて、これらの種類の１つ以上が好ましくは連続的に血液処理容器３５２から取出される。好ましくは、始動以降、血漿交換手順中いつも、血液の流れが血液処理容器３５２に連続的に供給され、少なくとも１種類の分離された成分が連続的に取出される。
【００３９】
種々の成分の分離および採取を行ってもよいが、RBCは本発明では最も興味ある成分であり、かくして、分離および採取プロトコルは採取および濾過を説明する場合には継続する。また、わかるように、RBCは他のすべての成分がドナーに戻される場合に採取される唯一の成分である。
【００４０】
好適な血液血漿交換装置２は、少なくとも赤血球（RBC）および血漿の分離を含めて、血液処理中、複数の血液成分の同時分離に対処しているが、中でも、必要に応じて、血小板（直接には示していない）の分離および採取に対処してもよい。また、このような分離された血液成分は対応する保存溜め部（図１１ないし図１３）に即座に或いは夫々の血液戻しサブモード中にドナー４に戻された後少し遅れて（或いは２針構成では実質的に絶えず）選択的に採取される。これに関して、血漿（および／または血小板）のような１種より多い血液成分を採取しようとする一解決法では、赤血球の採取とは別の時間の間に、血液血漿交換装置２を使用して血漿（および／または所望の分離済み血小板）を採取してもよい。また、これらの成分は同時に採取してもよい。なお、RBCの前に他の成分を採取する場合、任意の他成分段階中に分離されたRBCを濾過せずにドナーに戻してもよい。好ましくは、本実施例では、採取されたRBCのみが濾過される（しかし、特定のドナー／患者についての治療用の濾過を行ってもよい）。
【００４１】
いずれの場合も、RBC採取手順は好ましくは血液採取装置６により得られる制御信号を介して制御される。このようなRBC採取手順は構成段階および採取段階を含む。このような構成段階中、血液血漿交換装置２は、（好適な実施例におけるように）、RBC採取段階中、採取のためにRBCが通る血液処理容器３５２および体外配管回路１０の部分に所定のヘマトクリット値を設定するように自動的に調整されてもよい。RBC採取のための望ましいヘマトクリット値は約７０と約９０との間であり、或いは９５＋までであり、好ましくは約８０に設定される。語「高ヘマトクリット値」はこのような範囲を言い、且つ分離容器３５２を去る分離済みRBCを指すこと意図している。異なる（一般的に低い）採取ヘマトクリット値への保存溶液での希釈を以下に述べる。更に、血液成分装置６は、構成段階中、所望のマトクリット値が分離装置において設定されるまで、戻し配管ループ１７２を通って流れる分離済みRBCの流れをドナー４に戻すためにRBC配管路６４を通して血液戻し溜め部１５０の中へ差し向けてもよい。次いで、血液分離装置６はドナー４に戻すための血漿および血小板（ここで分離されれば）の差し向けを選択的に制御する。
【００４２】
分離されたRBCについて所望の充填ファクタおよび／またはヘマトクリット値を設定するために、血液成分分離装置６からの制御信号を介して遠心ロータ組立体５６８（図１参照）の作動速度を選択的に設定し、ポンプ組立体（ここでは詳細に示さず且つ説明しない）の速度を制御する容器３５２への血液流入流量を血液分離装置６により選択的に制御する。より詳細には、遠心ロータ−組立体５６８の回転数の増大および/または流入流量の減少は充填ファクタおよび／またはヘマトクリット値を減少する傾向があり、他方、回転数の減少および/または流量の増大は充填ファクタおよび／またはヘマトクリット値を増大する傾向がある。わかるように、容器３５２への血液流入流量は所望の充填ファクタまたはヘマトクリット値により効果的に制限し得る。
【００４３】
所望の凝固防止剤（AC）比を設定するために、血液成分分離装置６は凝固防止剤を血液流入流れに所定の流量で導入するように適切な制御信号を凝固防止剤ポンプに送る。関連的に、血液処理容器３５２に対する凝固防止剤入り血液の流入流量をドナー４に対する所定の最大の許容可能な凝固防止剤注入流量（ACIR）により制限し得ることは注意すべきである。当業者にはわかるように、所定のACIRはドナーの特定の基準で（例えば、ドナー４の特定の全血液量を考慮して）設定される。血液処理容器３５２からの所望の全未採取血漿流量を設定するために、血液採取装置６は血漿（および血小板）ポンプ組立体に適切な制御信号を送る。これは分離されたRBCにおけるヘマトクリット値を増大するのにも役立つ。
【００４４】
一好適実施例では、分離されたRBCについての所望の高いヘマトクリット値は約７５と約８５との間であり、好ましくは焼く８０であるが、もっと高いヘマトクリット値も同様に有効である。ほぼ４０位の低い、或いはほぼ９５位の高いヘマトクリット値を有することはさほど好適ではない。好適な遠心ロータ組立体５６８が約１０インチの規定ロータ直径をもたらす場合、および前記のように、血液処理容器３５２を利用する場合、一好適実施例では、準備および赤血球採取段階中、チャンネルハウジング２０４を代表的には約３０００ｒｐｍの回転速度で駆動して所望のRBCヘマトクリット値を達成することができることが確認された。対応して、ループ１３２を通して容器３５２への圧送により得られる血液流入流量は好ましくは約６５ml／分に設定される。所望のヘマトクリット値はRBC採取段階を開始する前に容器３５２の約２の全血液量を容器３５２に通すことによって確実に安定化することができる。
【００４５】
RBC採取段階を開始するために、血液成分分離装置６は血液処理容器３５２から取出された高いヘマトクリット値の分離済みRBCの連続流出流を寒露６４を経て配管路９５１、９５２をとおしてRBC採取装置９５０の中へ、および管路９６５を経てフィルタ９６０を通して採取容器９５４の中へ差し向ける。
【００４６】
わかるように、好適な実施例では、分離されたRBCは好ましくは採取のために容器３５２から圧送されないが、その代わりに、容器３５２への血液流入流れの圧力によって容器３５２から体外配管回路１０を通して流される。流入血液はカセット１１０のループ１３２を経て容器３５２の中へ圧送される。分離されたRBCは押されるが、好ましくは容器３５２からは圧送されない。それにより、採取RBCに対するトラウマは最小化される。
【００４７】
RBC採取段階中、容器３５２への流入流れはドナー４に対する前述の最大の許容可能なACIRにより制限されそうである。所望の流入流量もまた論述したように所望の重点ファクタおよび／またはヘマトクリット値を維持するのに必要なことによって制限されることがある。これに関して、準備段階に対して、RBC採取段階中、すべてではないが、凝固防止剤がドナー４に戻されているので、流入流量はわずかに上方に調整されることはわかるであろう。すなわち、ACのわずかな部分がRBC溜め部９５４に高いヘマトクリット値のRBCとともに採取される少量の血漿とともに残留する。
【００４８】
本発明によれば、比較的高いヘマトクリット値のRBCは必要に応じて希釈され、次いでRBCが分離されるやいなや、或いは容器３５２内で分離された後すぐに濾過されてもよい。変更例として、RBCは高いヘマトクリット値の状態で希釈されずに濾過されてもよい。好ましくは、語「高いヘマトクリット値」は分離容器３５２から出現するときの分離されたRBCの状態を指している。ここで説明する場合の実質的に連続した遠心分離方法では、RBCの新しく分離された流れは実質的に連続した容器３５２から流出してまず配管路６４を通り、カセット組立体１１０へおよびこれを通り、次いで管路９５１、９５２（ここでは、必要に応じて保存溶液を希釈することによって合流される）を通ってフィルタ９６０へ流れ、次いで管路９６５を通ってバッグ９５４へ流れる。好ましくは、これらの新しく分離されたRBCは容器３５２からフィルタ９６０を通って採取バッグ９５４（またはバッグ９５４a、図５および図６参照）の中へ連続的に流れている。かくして、前記実施例では、白血球／白血球濾過が始まり、全体連続分離方法と同時に、或いは採取に先立って、全体連続分離方法中に継続される。この更なる説明は以後に更に詳細に述べる。
【００４９】
なお、語「新たに分離された」は装置６および処理容器３５２のような機械的分離装置における、またはそこから現れたときの新たに分離された血液成分を説明しようとするものである。また、この語は容器３５２からのような機械的分離装置から取出し後、合理的な長さの時間の間の同じ分離された成分の状態を含む。かくして、一般的なこととして、「新たに分離された」は特に少なくとも全体分離手順の長さの間に存在する時の成分の状態に関しているが、好ましくはそれを越える合理的な期間に及ぶ。かくして、例えば、第１の合理的な期間は、濾過が実質的に連続して行われる２時間以上まで（おそらく、それを越える）継続する血漿交換手順全体を含む。ここで使用する２つの更なる語は、つまり、「最近取出された」および「後すぐに」は同様な識別を有する。「最近取出された」はここでは、主に、ドナーから取出された血液であって、取出されて機械的分離装置で処理されたばかりの血液、または取出されて装置６のような装置における分離処理に先立って非長くない時間、保存状態に保たれた血液に対して言うものである。同様に、「後すぐに」は同様にこれらの事情の両方に対して、ならびに、例えば、分離された血液成分が分離容器から取出されるとき、例えば、（連続モードでもバッチモードでもいずれしても）分離後すぐ、に対して使用する。
【００５０】
いずれの場合にも、ドナー４および装置６の観点から、所望量の赤血球の分離、濾過および採取工程に引き続き、血液分離装置６は次いでいずれの更なるRBCの流れをもループ１７２、溜め部１５０および戻し寒露２４を経てドナー４に戻すように制御信号をRBC差向け組立体に送る。更に、ここでは血漿遠心分離による更なる血液処理を望まないなら、リンスバック手順を完了する。更に、最小の所望量のRBCを濾過／採取組立体９５０に差向けたら、濾過完了後、赤血球採取溜め部９５４（および／または副組立体９５０全体）を体外配管回路１０から連結解除する。これとともに或いは別々にフィルタ９６０を取外すか、或いは取付けたままにし、カセット１１０および他の残りのバッグまたは管とともに処分してもよい。しかしながら、本発明によれば、RBCの濾過中および／または濾過後、保存溶液が配管路９５２におけるRBCの流れ、フィルタ９６０、最終的に赤血球溜め部またはバッグ９５４に添加される。好ましくは、スパイク９８５を介しての１つまたはそれ以上の保存溶液バッグ９７０（図１および図７参照）へのスパイク連結を使用する。この方法を以下に更に説明する。このような保存溶液または添加剤溶液は有利には約１ないし６℃の温度で約４２日間までRBCを保存し易くする。これに関して、許容可能な保存溶液としては、カルフォルニアのコビナにあるメドセップ社から入手でき、米国で添加剤溶液３（AS-3）と一般に称されている保存溶液、および／またはフランスのツアコーニングにあるマコファーマから入手できるヨーロッパでＳＡＧ−Ｍと一般に称する保存溶液が挙げられる。保存に先立って所望の保存溶液と交換することができる後述の濾過工程前、後または中、塩水を使用することも可能である。変更例として、塩水は、後に図１４を参照してより詳細に説明するように、フィルタ９６０を通ってカセット組立体１１０へ流れるように使用することができる。
【００５１】
保存添加剤溶液は、管路９８２を経て、好ましくはスパイク連結部９８５を介して配管回路１０に予め連結することができるか、或いは別体であって、後で配管回路１０に選択的に連結し得る別個の保存溶液バッグ９７０に収容されてもよく、好ましくは収容される。別の実施例では、このような選択的相互連結は、無菌連結装置（図示せず）を利用する例（図示していない方法）として配管路９８２に対する無菌ドッキングを介して行われてもよい。例として、このような保存溶液容器９７０に配管路９８２を連結する１つのこのような無菌連結装置はニュージャージーのサマーセットにあるテルモメディカルコーポにより商品名「ＴＳＣＤ」または「ＳＣＤ（商標名）３１２」で販売されている装置である。前記変更例では、選択的相互連結は無菌バリアフィルタ／スパイク組立体９８０を利用して設定される。このような無菌バリアフィルタ／スパイク組立体９８０の使用により、閉鎖装置のメンテナンスを容易にし、それにより細菌汚染を効果的に回避する。例として、このような組立体９８０における機械的無菌バリアフィルタ９８６（図７）または９８６aまたは９８６ｂは０．２ミクロンの孔を有する多孔性膜を備えている。この場合、配管ループ１４２を通る圧送により、溶液が配管９８２と、保存溶液をＲＢＣ管路９５２およびフィルタ装置９５０に導入するための連結配管路１４６とを通って選択的に流れる。
【００５２】
ＲＢＣの品質の維持を確保するために、採取ＲＢＣバッグ９５４および血液処理中に使用される保存溶液および凝固防止剤は適合性であるべきである。例えば、採取ＲＢＣ溜め部９５４はメドセップ社により販売されているもののような標準ＰＶＣＤＥＨＰ溜め部（すなわち、ポリ塩化ビニルージエチレンヘキシルフタレート）であってもよい。変更例として、他のＰＶＣ溜め部を用いてもよい。このような溜め部はカルフォルニアのコマースにあるモアフレックスにより商品名「シトリフレックスーＢ６（ＣＩＴＲＩＦＬＥＸ―Ｂ６）で販売されている可塑剤を利用してもよい。更に、前記赤血球採取手順と関連して利用される凝固防止剤はクエン酸デキストローズー式A（ACD-A）であってもよい。
【００５３】
それにもかかわらず、前記のような本発明の実施例によれば、保存溶液を後で流してもよく、および／または管路９５１、９５２内を流れている分離済み赤血球の流れに添加してもよく、また保存溶液はこれらの赤血球と共にフィルタ９６０を通って流れ、このフィルタ９６０は好ましくは分離済み赤血球から満足すべき量の白血球を除去する。より詳細には、＜５ｘ１０６白血球／ユニット（例えば、役２５０ｍｌ）の白血球数を設定して発熱性非溶血輸血反応のいずれの可能性を減少するために白血球減少濾過が望まれる。しかも、かかる濾過はより望ましくは１ｘ１０６白血球／ユニットの白血球数を達成してＨＬA（すなわち、人の白血球A）感作および／または他の深刻な副作用のいずれの恐れをも減少させる。また、研究の結果、保存中、赤血球の機能的品質を向上させる点、および多数の輸血を受ける患者におけるアロイミュ二ゼーションの発生を減少させる点における、予備保存白血球減少のための確実な効果が示され、これらの効果は濾過製品中でよりゆっくり低下する赤血球内ＡＴＰおよび／または細胞外カリウムレベルのような代謝反応において有利である。おそらく、より重要なのは、中でも、輸血伝染病、特にサイトメガロウイルス（ＣＭＶ）および／またはHIVの減少である。
【００５４】
従って、赤血球採取容器９５４は、一実施例では、高いヘマトクリット値（好ましくは７０と９０との間および８０にほぼ等しいヘマトクリット値）の新しく分離された赤血球が単独或いは添加剤溶液と共に好ましくはフィルタ９６０に押し通らされて最終ＲＢＣ採取バッグに入れられるように、赤血球フィルタ９６０からｒｂｃおよび添加剤溶液を受入れる。かかる押込み濾過を図７、図８および図９に示してあり、以下に更に説明する。赤血球フィルタ９６０／採取バッグ副組立体９５０は、好ましくは本発明の教示により図１、図２および図３に示すように（無菌ドッキングのコストおよび危険性を回避するために）使い捨て組立体１０の一部として配管回路８に予め連結されるか、或いはマサセッチュセッツ、マーロボーロにあるヘマスア社により製造されている商品名「ｒ＼ＬＳ」で市販されているもの、またはアサヒコーポ社および／またはバックスター社から販売されている「セパセル」および／またはニューヨーク、グレンコーブにあるポールコーポ社から販売されている「ＲＣ１００」および「ＢＰＦ４」などのような特殊の新しいキットまたは市販フィルタ／バッグキットを使用して予め存在する使い捨て装置に付設されて後製造式連結可能な使い捨て組立体を構成してもよい。いずれの場合でも、赤血球フィルタ／バッグ副組立体は好ましくは図示のように配管路９５１および／または９５２を介して配管回路８に（前または後）連結される。
【００５５】
主に図２、図３および図４を参照して説明すると、血漿交換方法から新しく分離されて採取されるＲＢＣの濾過の手順は以下のごとくである。これらの新しく分離されたＲＢＣは好適な濾過工程中、添加剤溶液または保存溶液が後で添加される希釈されていない高ヘマトクリット値（ほぼ８０のヘマトクリット値）状態にあるか、連結部９７９において管路９５２内のＲＢＣの流れに添加される添加剤溶液との混合状態で濾過される。しかも、保存溶液をいずれのＲＢＣに先立ってフィルタ９６０に通してもよいし（これによれば、濾過能率が高まる）、また前述のように、必要に応じてバッグ９５４内の採取ＲＢＣに添加すべきＲＢＣの白血球減少後にフィルタに通してもよい。好適な実施例では、たとえ添加剤溶液または保存溶液が初めにフィルタを通って流れる場合でも、採取のためにフィルタ９６０の中に残っているいずれのＲＢＣをも移動させるためにＲＢＣ濾過後に十分な量の溶液を流すのは好ましい。
【００５６】
好適な実質的に連続した分離および採取工程と同時に（すなわち、高ヘマトクリット値のＲＢＣを他の成分から分離し、ドナーの戻さずに容器３５２から押出してカセット１１０に入れるやいなや）、或いは望むなら、所望の最大量の他の血液成分を採取した後すぐに、ＲＢＣ採取／濾過装置９５０を作動してＲＢＣを濾過する。この採取工程はループ１７２を通る分岐流れを止め且つ管路９５２を通り管路９５２およびフィルタ９６０への流れを許容するように装置６のクランプ／弁を切り替えることによって行われる。
【００５７】
いずれの場合にも、分離容器３５２からバッグ９５４への連続採取と同時に、或いは任意の他の非ＲＢＣ採取工程の完了後すぐに、ＲＢＣを好ましくは固有圧力押込み(非活性圧送)によりフィルタ９６０へ流される。このように、採取バッグ９５４は、連続的に流れるＲＢＣを容器３５２からフィルタ９６０を通って採取バッグ９５４の中へ上方に移動されるように分離容器３５２およびフィルタ９６０の両方の上方の高さに吊るしてもよい(図４ないし図８参照)。この一実施例を図７に示してあり、この場合、採取バッグ９５４は公知のような装置６のフック９９６から吊るされている。配管路９６５がそこから下方に垂下しており、フィルタ９６０に連結されているものとして示されており、フィルタ９６０の頂部から次の配管路９５２が延びていて、最終的には下方に管路９５１を経てカセット１１０につながっている。
【００５８】
バッグ９５４からのいずれの空気も、または流入ＲＢＣとバッグ９５４との間に捕獲された空気が最終的に配管路連結部９６１を通して空気除去バッグ９６２へ除去される。この空気は流入ＲＢＣの流れに先立って空気除去バッグ９６３に排気されるか、或いは流入ＲＢＣの流れにより排気される。またわかるように、分離工程に先立って、血漿交換装置の戻しポンプ（図示せず）を初めに作動することによって空気を排出することもできる。またわかるように、空気の除去を、例えば、疎水性ベントおよび／またはバイパス管路を含めて、他の公知の（ここではあまり望ましくないが）方法によって達成してもよい。本発明によれば、血漿交換分離工程中、ＲＢＣを予め冷却したり予め保存したりすることなしに装置６において直接、ＲＢＣの濾過を行うことが望ましい。このような場合、これらの手順は従来の中間の分離／採取工程、冷却工程および保存工程なしに４℃で夜通し行われる。
【００５９】
次いで、これらの実施例のいずれでも、濾過の完了後、或いは濾過中および／または濾過前でも、つまり、同時に行う採取および濾過において、或いは任意の他の成分採取工程後すぐの濾過および採取において、保存溶液がフィルタへ流されてこれを通り、および／またはＲＢＣに添加される。また、これはフィルタ９６０による高いヘマトクリット値のＲＢＣの濾過の前および／または濾過中および／または濾過の完了後に行ってもよいが、或る量の追加の添加剤溶液または保存溶液がフィルタの容積に入れ代わっていずれの残留ＲＢＣをもフィルタから回収することが好ましい。詳細には、保存溶液バッグ９７０が図１、図７、図８および図９に示すように（予備連結により或いはスパイクまたは無菌溶接により）連結されており、クランプ９９０を開放して（任意のこのような必要に応じた流れ止め部材を使用しているなら、図２および図３参照）保存溶液を配管路９８２に導入し、配管路１４２を経てループ１４６を通し、コネクタ９７９を経て配管路９５２に圧送する。かくして、保存溶液はバッグ９７０からフィルタ９６０を通って採取バッグ９５４の中へ圧送される。採取中に圧送されれば、この溶液は濾過に先立って計量され、管路９５２内の高いヘマトクリット値のＲＢＣと混合されてこれを希釈する。ループ１４２を通る圧送により混合率を制御することができる。しかしながら、濾過を助成しおよび／またはＲＢＣを追い出したり、フィルタに捕獲された量のＲＢＣをフィルタから移動させたりするために、未希釈のＲＢＣのすべてが濾過される前および／または後にも保存溶液を圧送してもよい。このような保存溶液による追い出しは(上記のように)予備濾過ＲＢＣの流れの中への計量流入後に使用してもよい。また、ＲＢＣ濾過装置９５０を作動する際の工程すべてを全体の血漿交換成分分離手順中に行ってもよく、かくして、予め必要であると思われる４℃の夜通しの手順のような冷却された遅延環境にさらす必要がない。
【００６０】
保存溶液添加工程の一例を図７、図８および図９に示してある。なお、他の成分採取工程はここでは示さない（すなわち、他の成分(例えば、血漿および／または血小板)のための同時採取工程を使用するか連続採取工程を使用するかはここでは示さしたり説明したりしない。図７、図８および図９には、採取バッグ９５４が上方フック９９６に取付けられており、空気バッグ９６２が他のフック９９８に吊るされていることが示されている（なお、空気バッグ９６２はフックから吊るされるに及ばないこともあるが、後述のように、この方法における他の工程後に空気を空気バッグに流し込むことができる）。図７および図８に示すように連結して吊るした場合、保存溶液が配管路９８２を通り、無菌バリア９８６を通り、ポンプループ１４２、連結管路１４６、９５２を通り、次いでフィルタ９６０を通り、最終的に採取バッグ９５４の中へ下方に流れることができるように、保存溶液バッグ９７０を更に他のフック９９７に吊るすことができる。図７および図８では下方向に、図９では上方向にフィルタ９６０に入る保存溶液およびＲＢＣの流れを示しているが、フィルタ９６０への流れは横方向を含めて、いずれの所望方向であることもでき、横方向に限定されない。重力に抗したこの流れは、ＲＢＣがフィルタに押し通されるので、可能である。
【００６１】
変更例として、図８に示す実施例では、フィルタ９６０が装置６において実質的に固定された位置に設置されていることが示されている。この実施例では、フィルタ９６０の開始を助けるために流れが下方向に留まる。フィルタ９６０を適所に保持するクリップまたは他の保持装置９０１が示されている。バッグ９５４内のＲＢＣ以外の成分を採取した或いは同時に採取する更なる工程および／または保存溶液をフィルタ９６０およびバッグ９５４に添加するに先立って、溶液をＲＢＣの流れの中へ同時に圧送し、および／またはフィルタ９６０による濾過を完了した変更例が容易ではないが別々に図示されているが、好ましくは保存溶液の流れの制御がループ１４２に係合する装置６におけるポンプにより行われる。
【００６２】
図９に示す実施例は装置８に取付けられずにバッグ９５４から吊り下がっているフィルタ９６０を示している。この実施例によれば、保存溶液およびＲＢＣの両方をフィルタ９６０へおよびこのフィルタを通って上方向に流すことができる。
【００６３】
いずれの場合にも、濾過および／または添加剤溶液での追い出しのすべてが完了すると、採取バッグ９５４を装置８の残部から分離することができる。このような分離に先立って選択自在なクランプ９６６を閉じることができる。分離は、フィルタまたはフィルタの下方の管路９５２の上方で配管路９６５をRFシールし、次いで中でも、米国特許第5,345,070号および第5,529,218号に従って配管路のRFシールされた部分に沿って分離することによって行ってもよい。配管路を閉じ、次いでＲＢＣ採取装置９５０を使い捨て組立体８の残部から分離するのに他の周知の方法を使用することもできる。例えばフィルタ９６０の下方にこのような分離後に残っているＲＢＣ採取装置９５０が図４および／または図５または図６に概略的に示されている（以下を参照）。
【００６４】
図４に関しては、配管路９６５は周知のようにサンプルセグメントを得るためにシールされているセグメント化配管路であってもよい。また、わかるように、血液結紮の目的および他の選択自在の目的で所望のサンプルを得るために配管路９６５に加えて或いは配管路９６５に代わって配管路９６１がセグメント化されもよい。
【００６５】
図５に示すような選択自在２採取バッグ組立体９５０aまたは図６に示すような組立体９５ｂの使用は前記方法とあまり異ならない。フィルタ９６０（９６０a）を通り分岐管路９６５a、９６５ｂの各々を通っての各バッグ９５４または９５４aへの圧力押し込みを使用して両採取バッグ９５４、９５４aを同時に或いは一度に一方を充填することができる（その際、クランプ（９６６aまたは９６６ｂ）のような流れ止め部材を使用してバッグ９５４、９５４aのうち、まず一方、次いで他方への流れを一杯になるまで選択的に拘束することができる）。２重製品を２つのバッグのうちのたった一方に採取することもでき、次いでその量の半分を他方のバッグに後で移送することができる。しかしながら、所望の２重製品が濾過され、それに従って採取されると、製品の添加並びに保存溶液の添加および／または新しい工程について例えば手動クランプ９６６a、９６６ｂによる制御を行うことが好ましい。まず、２つのバッグ９５４、９５４aが重量で或いは他の手段でほぼ等しい採取量を有するようにすることが好ましい。一方のバッグからの過剰量を、例えば、隣接配管路９６５、９６５aまたは９６５ｂを通って流れるようにして手による圧縮で他方のバッグの中へ押入れる。その場合、フィルタ９６０を通る保存溶液の流出または追い出し中、（クランプ９６６aまたは９６６ｂを使用して）まず一方の配管路９６５a、９６５ｂを、次いで他方の配管路を締付けることにより既知量の保存溶液を夫々のバッグ９５４a、９５４ｂに供給することが望ましい。単一バッグ採取方法の場合と同様に、２つの採取バッグから夫々の空気バッグ９６２、９６２aへの空気の除去が起こる。なお、第１変更例（ここでは図５）は両バッグ９５４、９５４a用のＲＢＣを処理するための単一フィルタ９６０のみを含む。しかしながら、変更例として、このフィルタとともに第２フィルタ９６０a（図６）を使用してもよい。図６に示すように、分離されたＲＢＣを配管路９５２およびスパー９５２ｂを通して第１フィルタ９６０に通し、第１採取バッグ９５４に、このバッグが一杯になるまで流入させることができ、或いは管９５２からの流れと同時に分割するか或いは分岐して別の第２配管スパー９５２aおよびフィルタ９６０aを通して第２バッグ９５４aに採取することができる。２重ＲＢＣ製品濾過についての他の変更例も明らかであろう。
【００６６】
予め連結された使い捨て組立体および高ヘマトクリット値の赤血球採取および濾過のための前記手順を利用して幾つかの利点を実現することができる。このような利点としては、最終ＲＢＣ製品量およびヘマトクリット値の一貫性；多数の構成単位の血液製品を一人のドナーから採取し、一人に受容者に移送する場合、受容者のエックスポーシャが減少すること；望むなら、２重構成単位の赤血球の採取を含めてＲＢＣ採取および濾過に必要な時間の短縮；および細菌汚染および白血球汚染の恐れの減少が挙げられる。
【００６７】
過去において、保存溶液（例えば、AS-3またはSAG-M）がＲＢＣの流れの中へ計量流入され、および／またはＲＢＣ濾過完了後に流出された状態でのこの高いヘマトクリット値が効力を発するようには思えない種々の理由があった。これらの理由としては、高いヘマトクリット値がフィルタ９６０に押し込まれて、その結果、赤血球が損傷すると言う予期された圧力問題；押し込み圧力下でのこの高いヘマトクリット値における以前は知られていない白血球消耗レベル；およびフィルタ９６０を通る保存溶液（例えば、AS-3またはSAG-M）によるWBCの明らかにありそうな「洗い落とし」または「流出」がある。また、赤血球溶血も考えられる潜在的な問題であった。
【００６８】
最初に成功の見込みがありそうと思われたが、可能な高いヘマトクリット値の保存溶液の希釈／押し込み濾過の可能性について試験することが考えられ、決定された。結果は多くのネガティブな予想を解消すべきである。例えば、フィルタを通って流れる希釈ＲＢＣ製品は、特にこの流れの高い圧力押し込みで使用される場合に連続流れに対して有利であるフィルタ前後の(未希釈ＲＢＣに対する)圧力降下を減少させる。未希釈の製品は希釈済み製品より長い濾過時間を要するが、希釈済みまたは未希釈の製品を濾過することにより、後採取濾過と比較して全体の処理時間を短縮することはわかる。全体のＲＢＣ分離／採取工程中にすぐに高いヘマトクリット値の或いは希釈済みの押し込み濾過を行うことによって、その結果得られるＲＢＣ製品ユニットは更に処理することなしに装置からすっかり保存する用意ができている。バッグをほとんど使用しなく、かくして、多少の取り扱い要件がある。その場合、他の手順を行うのにオペレータの時間が自由になる。添加剤溶液の圧送添加の場合、更なる人の介入および／または試験の必要なしに装置の制御および計量により、添加剤溶液が添加されたＲＢＣ製品の最終ヘマトクリット値および回収率（計算および／または重量）を容易に得ることができるように、溶液の添加量をより密に制御することができると言う点で、品質管理が同様に簡単化し得る。
【００６９】
ＲＢＣの採取および濾過のー方法を以上で説明したが、他の方法も同様に明らかであろう。例えば、図７および図８は血液成分分離装置６に対して各フィルタ９６０を設置する別の位置を示している。更にわかるように、フィルタを装置６における別の位置に設けてもよい。詳細には、フック９９９から吊るしブラケット９００が吊り下がっている。ブラケット９００は装置６における使用全体にわたってフィルタ９６０を所望配向に保持するのに使用し得る１つまたはそれ以上の締付け部材９０１を有してもよい。図示のように、例えば、ほぼ下方の流れ配向はおそらく例えば初めの始動の際に好ましいとわかる。
【００７０】
フィルタは図９に示すようにバッグ９５４から吊り下がってもよい。これはほぼ上方の流れ配向をもたらす。また、所望のフィルタの位置に応じて側方および他の流れ配向を使用することもできる。
【００７１】
多くの更なる別の要素および／または実施例が利用可能である。例えば、図１０に示すように、（必要とされないが図１ないし図９の実施例により提示したように）添加剤溶液配管路９８２および連結管路１４６を有するループ１４２をカセット１１０の内側で流れ管路に一体に連結してもよいが、これらの要素をカセットなしで或いはカセット１１０に取付けて或いはそのそばを延びるように装置に付設してもよい。図１０に示すように、（添加剤溶液源(図示せず)に連結されるようになっている）配管路９８２をカセット１１０まで延ばし、例えば、１つまたはそれ以上のコネクタ１００１、１００２を使用しておそらく図示のようにしてカセット１１０に連結してもよい。主として、ここでは、好ましくは、ポンプにより装置６に関連されることができるループ１４２を構成するように、また同様にクランプ／弁(図示せず)により装置６に関連されることができる連結部材１３６を構成するように、連結部が形成される。特に、これらの部材はすべて図示のような適所に保持される或る長さの配管から構成されてもよい。また、これらの部材はカセット１１０および他の配管要素と共に製造することができ、或いはこれらの要素に後製造で付設してもよい。
【００７２】
更に、図１０には、他の配管ループ１４２aおよび他の延長管部分１４５a、１４６aが示されている。図２および図３に同様なチャンネルにより提示／図示したようにカセット１１０の内部流れチャンネルに連結されて配置されたこれらの追加要素は別の追加機能性を表そうとするものであり、その際、装置６から生じる好ましくは２重ヘッダ型の単一蠕動性圧送装置が配管路１４２、１４２aの両方に同時に従事して所望に応じてかかるループのいずれかまたは両方を通して流体を圧送し得る。
【００７３】
以下により十分に説明するように、かかる配管ループをループ１６２と関連された血漿ポンプに関しても使用することができる。
【００７４】
図１０に関しては、単一の弁／クランプ部材（図示せず）を部材１４６，１４６aに関係するように使用して適切なときにこれらの部材の各々を通る流れを同時に止めたり許容したりすることができる。
【００７５】
このような構成の１つの可能な用途としては、容器３５２から血小板を採取し、これらの血小板を配管と１４２aを経て且つ配管延長部１４５aを通って血小板採取容器／バッグ（図示せず）へ圧送することを挙げることができる。この場合、装置６の弁／クランプ部材(図示せず)は、血小板がドナーに戻されなく、添加剤溶液が管路１４６を通って流れないように、このときに延長管１４６、１４６aを締付けて遮断する。かくして、この実施例では、ＲＢＣは血小板採取完了後に流出されて添加される添加剤溶液で希釈されることなしに同時に採取されか、或いはＲＢＣは血小板採取完了後まで採取されない。いずれの場合にも、管路１４６を通して添加剤溶液を流すことを決めたら、装置６の弁／クランプ部材をこの管路に対して開放し（それにより、この実施例では、ドナーに戻すために管路１４６aを通る血小板の流れの開放と、血小板の採取を停止するために管路１４５aの閉鎖を同時に行う）、またループ１４２、１４２aに関連するポンプを作動して添加剤溶液を源から管路９８２、ループ１４２および管路９５１、９５２への連結用の延長部１４６を通して流すことができる（図２および図３参照）。別の弁／締付けおよび／または圧送計画を同様に使用することができる。例えば、延長部材１４６、１４６aおよび／または１４５aうちの１つまたはそれ以上のために別体の弁を使用することができ、かくして流れのより個々の制御およびおそらく計量を見込むことができる（例えば、管路１４５a、１４６aを通る流れとは別個の管路１４２を通る添加剤溶液の周期的または脈動的流れを望み／行うことができる）。また、付属装置(図示せず)における別個の追加の添加剤溶液ポンプを図１０および図１３に示す２重ヘッダ概念とは別個に使用することができる。なお、変更例として、活性ポンプ以外の他の装置を、これが所望の保存溶液の流れを確立するかぎり使用してもよく、望ましい最終の採取ヘマトクリット値を生じるようにＲＢＣに対して保存溶液の比例した流れに対処するために弁および／または流量計の備えがなされている。なお、この最終ヘマトクリット値は、末端ユーザの所望に応じて、４０ほどに低くてもよく或いはもっと低くてもよい。
【００７６】
図１１の添加剤／保存溶液装置は重力供給型である。図１１の実施例では、図２の実施例と共通の組立体または回路用に同様な数字を使用している。図１１のスパイクまたは針９８４ｃは図３について説明したような方法により添加剤／保存溶液容器と取付けされるようになっている。添加剤／保存溶液をフィルタ流入管路９５２ｃにおけるＲＢＣ製品と合流するように流入管路９８８とコネクタ９７９ｃとを通して供給する。また、この添加剤／保存溶液は前記のようにフィルタに残留するいずれのＲＢＣとも入れ代わるように濾過後に供給することができる。濾過されたＲＢＣおよび使用したいずれの保存溶液も管路９６５ｃを通してバッグ９５４に採取される。図１１の実施例では、ＲＢＣは高いヘマトクリット値の状態で濾過されることはわかる。また、望むなら血漿または血小板のような他の成分を必要に応じて装置のバッグまたは容器に採取することもできる。図１１の実施例は、添加剤／保存溶液を重力排出することができるので、添加剤／保存溶液の添加のために圧送を必要とせず、その結果、全体構造がより簡単化される。
【００７７】
図１２は図１１に記載の血液処理容器を使用する以外は図２のものと同様な装置に所望量の添加剤／保存溶液を供給する更なるオプションを示している。
【００７８】
図１２の実施例では、保存／添加剤溶液がスパイク９８４を通して管路９８８ｄに供給される。流体検出器または流量計９９２が添加剤／保存溶液の添加を監視して所望量がＲＢＣに添加されるようにしている。保存／添加剤溶液は管路９８８ｄからループ１４２を通って管路１４６a、９５２に圧送され、かくしてフィルタ９６０に通される。また、添加剤／保存溶液がフィルタからのＲＢＣと入れ代わるように採取後にフィルタ９６０を通って流れてもよいことはわかる。また、ＲＢＣは高いヘマトクリット値の状態で濾過されるが、装置を希釈濾過モード用にすることもできることはわかる。図１２の使い捨て装置によれば、必要に応じて血漿または血小板のような追加の成分を装置９９０のバッグまたは容器に採取することもできる。
【００７９】
図１３には、添加剤／保存溶液を供給するための追加の別な実施例が示されている。血液処理容器３５２aおよび選択自由な追加の成分採取装置９９０も示されている。この実施例では、血漿ポンプは図１０について以上で説明したように２重ヘッダポンプである。保存／添加剤溶液をスパイク９８４eおよび（選択自由な流体検出器／流量計９９２を有する）管路９８８e、配管ループ１６２a、管路１４６ｂ、コネクタ９７９ｃを通してフィルタ流入管路９５２に供給してもよい。図１１および図１２の実施例におけるように、添加剤／保存溶液は希釈済みまたは未希釈の製品を濾過するために適切なときに供給してもよい。また、或る量の添加剤／保存溶液が採取終了時でフィルタにおける残留ＲＢＣと入れ代わることが好ましい。
【００８０】
まお、望むなら、血漿採取のために配管ループ１６２および配管ループ１６２aとともに２重ヘッダポンプを使用してもよい。図１０について以上で説明したような２重ポンプループ用の弁オプションならびに取付けオプションを使用してもよい。また、追加の弁を必要に応じて窓部１１８に設けることができる。他の変更例は追加の配管のための既存の弁の使用、または手動クランプの使用を含む。この実施例では、保存／添加剤溶液は図１０で説明したようにカセット１１０に取付けられた配管を通って流れることができ、或いは必要に応じてカセット１１０におけるチャンネルを通って流れることができる。
【００８１】
図１４は、スパイク９８４ｆを通して供給される保存溶液がポンプを必要とすることなしに重力排液により管路９８８ｇを通って採取バッグ９５４へ流れると言う点で図１１と同様な実施例である。しかしながら、この実施例では、図１４でわかるように、保存溶液はすでに濾過されたＲＢＣと混合するために採取バッグに直接供給される。追加のスパイク９８４ｇまたは塩水バッグが設けられている。塩水は配管９８８ｆ、コネクタ９７９ｄを通って配管９６５へ流れる。次いで、ドナーの戻すためにこの塩水を使用してフィルやおよび９５２ｃのような配管の容積に入れ代ってカセット装置１１０に戻る。この実施例では、保存溶液および塩水バッグをＲＢＣ採取組立体９５０に予め連結することができるか、或いは無菌バリアフィルタを持つスパイク(図示せず)または前記の他の方法を使用してかかるバッグを無菌状で連結することができることはわかる。
【００８２】
オペレータが血漿交換装置２による血漿交換手順に使用されるプロトコルの種々の工程を行うのを助けるために、血漿交換装置２は好ましくは図１に全体的に示すようなコンピュータグラフィカルインターフェース６６０を有している。このグラフィカルインターフェース６６０は好ましくは「トーチスクリーン」を有するコンピュータディスプレー６６４を有しているが、他の適切な入力装置(例えば、キーボード)を単独で或いはトーチスクリーンとの組合せで利用してもよい。グラフィカルインターフェース６６０は多数の利点をもたらすが、好ましくは少なくともオペレータが血漿交換および／または濾過手順の少なくとも幾つかの工程をいかに成し遂げるか、或いは成し遂げたときの画像を与えることによってオペレータを助け得る。
【００８３】
例えば、ディスプレースクリーンは必要に応じて前記濾過手順を成し遂げるのに完了すべきである工程を知らせるために多数の画像をオペレータに次々に表示する。より詳細には、初めにおよび／または保存溶液希釈および／または流出の場合の使用中、夫々のＲＢＣおよび溶液バッグ９５４および／または９７０を装置６に吊るすときを、および／または如何に吊るすかをオペレータに画像で知らせるために画像がスクリーンに示される（例えば、図７および図８参照）。また、濾過工程を開始するように、および／または濾過工程が同時に或いはＲＢＣ採取中に適切に始まったことを視覚的に確実にするように、クランプを開閉するときをオペレータに命令するために１つまたはそれ以上の画像を与えてもよい。また、スパイク組立体９８０を保存溶液容器９７０に連結するとき、および／またはフィルタ９６０を通るＲＢＣの流れ後／または中に、クランプを開放するか或いは壊れやすいコネクタ（含まれていれば）を破壊してフィルタ９６０を通る保存溶液の流れを開始し且ついずれの残留ＲＢＣをも流出させるときをオペレータに命令するために１つまたはそれ以上の画像を使用してもよい。また、ＲＢＣ採取バッグ９５４およびＲＢＣ保存組立体９５０の残りの要素を使い捨て組立体８/１０および／または装置６から分離したり取外したりし得るようにＲＢＣ採取バッグ９５４に通じる管路９６５をシールすべきときをオペレータに命令するために１つまたはそれ以上の画像を使用してもよい。同様の画像により、濾過および流出／空気取扱い手順を完了した後、ＲＢＣ採取バッグ９５４を空気バッグ９６２および装置の残部から隔離するように空気管９６１をシールするときを命令することができる。
【００８４】
なお、現在説明している装置の更なる利点としては、空気の取扱う方がある。より詳細には、本発明によれば、ベントおよび従来の赤血球フィルタのバイパス方法および／または装置の従来の必要性が除去される。しかも、本発明は、この利点を、歴史的には濾過装置の内側に捕獲されてきたＲＢＣの回収の低減なしにおよび／またはおそらくその回収を高めて果たすことが可能である。
【００８５】
この利点を果たすのに本発明が使用する手段は、ＲＢＣをフィルタに通して濾過することを終了した後のフィルタ９６０を通る保存溶液の流れを与えることによるものである。その場合、保存溶液はフィルタからそこに捕獲されたＲＢＣを洗浄し、次いで採取バッグに入れることができる。従来の装置はフィルタに存在するいずれのＲＢＣも押し出すのを助けるのにベントまたはバイパス装置に依存していた。なお、好ましくないか或いは必要とされないが、それでもベントまたはバイパスを現在の押込み濾過方法について、および／または濾過後の保存溶液の流れについておよび／またはこれに代わって、使用することができる。かくして、かかるベントまたはバイパスは、空気、または空気と流体との組合せでフィルタ９６０をパージしたい場合に前記装置にとって選択自由な特徴である。
【００８６】
いずれの場合にも、ベントまたはバイパスの必要性の除去により、装置への過剰空気の故意でない許容量のような他の従来の難点を減じる。本装置内の余分な空気は本発明におけるフィルタを通る血液または保存溶液の流れを止めたり減速したりしない。この場合、余分な空気は採取バッグ９５４に捕獲され、かくして全体方法の終了時に空気バッグ９６２へ除去される（空気はバッグの位置決めまたは搾り出しなどにより除去される）。また、好適な実施例ではベントもバイパスも必要とされないので、かかるベントの作動についての故障は重要でない。というのは、好適な次の保存溶液の流れがベントまたはバイパスの予め望んだ使用なしにフィルタからＲＢＣを回収するからである。その結果、フィルタを容器３５２および／または採取バッグ９５４の上方または下方で複数の択一の垂直配置のうちのいずれかで配置してもよい。本発明の作動はこのような択一の設置により妨げられるものではない。しかしながら、前述のようにＲＢＣまたは添加剤溶液をフィルタから追い出すのに空気を使用することもできることはわかる。
【００８７】
本発明はバイパスの必要性を除去しているが、白血球減少を終了するか或いは望んでいない場合にフィルタ９６０を迂回するようにバイパスを体外配管回路に設けることができることはわかる。同様に、フィルタを有する装置の部品における圧力発生を防止するために選択自由な圧力除去弁または弁を付設することができることはわかる。
【００８８】
しかしながら、使用すべき保存溶液の量は使用する配管路の相対長さおよび装置に入る空気に応じて変更してもよい。例えば、１００ｍｌの保存溶液を採取バッグ９５４内の最終製品ＲＢＣと混合したい場合、好ましくは１００ｍｌより多い或る量の保存溶液を装置に供給して配管の長さおよびフィルタの容積を補償する。溶液の量は１００ｍｌが採取バッグ９５４に入り、追加の量がカセット１１０と採取バッグ９５４との間で配管路およびフィルタに残るように選択されてもよい。
【００８９】
なお、ＲＢＣの濾過中の保存溶液の希釈および／または濾過完了後の流出はここで挟持する主な変更例である。しかしながら、バッグ９５４の中への保存溶液の流れを他のときに、例えば、高いヘマトクリット値ＲＢＣまたは希釈済みＲＢＣの押込み濾過を開始するに先立って開始することが可能である。また、最終量のＲＢＣをフィルタ９６０から取り出すのを助けるには、脈動および／または断続的な流れも望ましい。更なる変更例は、好ましくはないが、流体(空気、血漿、塩水または添加剤溶液)の逆行の流れを使用することを含み、いずれの捕獲成分をも流出させてカセット１１０に戻し、次いでおそらくドナー４に戻すことができるように、採取バッグ９５４の取外し後、この追加の流体をフィルタを通して逆方法に流す。
【００９０】
以上で紹介した他の変更例は別の体外血液処理装置の使用を含む。幾つかの成分をドナーに戻すことを含むここで記載のような連続流れ式血漿交換装置が好ましいが、ここではバッチ流れ式および非戻し式装置も使用可能である。例えば、バッチモード処理器は或る量の全体血液を取入れ、 (例えば、遠心ボールにおいて) 血液を諸成分に分離し、次いで分離された成分を採取バッグに通すか或いはドナーに戻す。それでも、本発明の濾過方法はほぼ同じようにして予知可能に作用し、従って、分離されたＲＢＣが分離機構から流されるときにかなり高いヘマトクリット値の状態で存在し、その時点では、これらの高いヘマトクリット値の分離済みＲＢＣを保存溶液配管路との合流点まで流し、そこから直接またはその後すぐにフィルタ９６０に送ってこれに通し、最終的に採取バッグ９５４に採取することができる。連続性は低減される（或いは実質的に除去される）が、分離および採取全体中或いはその後すぐに行う押込み濾過の原理は同じままである。なお、フィルタ９６０を通る流れがいずれかの時点または複数の時点で止まっても、これはフィルタに入るいずれの空気も空気バッグ９６２に最終捕獲により取り扱われる場合には問題であるとは思われない。
【００９１】
また、より小さい規模の濾過および採取装置も有用である予想される。例えば、(遠心型であろうと、膜型であろうと、他の種類であろうといずれにしても)種々の分離装置がＲＢＣおよび血漿を分離するように設計されており（残部は通常ＲＢＣ製品に残る）、これらの装置は小規模機構化をとることができる。それにもかかわらず、本発明はこの装置ではそれにより分離されたＲＢＣを高いおよび／または希釈済みヘマトクリット値で新たに押込み濾過してもよいと言う点で同様に有用である。分離／採取工程全体中、或いはその後すぐにこのようなＲＢＣを押込み濾過する原理は同様に同じままである。かくして、連続モードであろうがバッチモードであろうが、高いマトクリット値のＲＢＣまたは希釈済みに新たに分離されたＲＢＣを先の処理後すぐに分離装置からフィルタ９６０に押し流し、フィルタ９６０を通して採取バッグ９５４に流すことができる。
【００９２】
本発明の前記説明は例示および説明の目的で行ったものである。更に、この説明は本発明をここに開示した形態に限定しようとするものではない。従って、上記開示および関連業界の技能および知識に見合った変形例および変更例が本発明の範囲内である。更に、以上で説明した実施例は本発明を実施するものとわかる最良の態様を説明するものであり、当業者がかかる実施例または他の実施例および本発明の特定の適用により必要とされる種々の変更例に利用することができるものである。添付の請求項は従来技術により許容される程度までの変更実施例を含むものと解される。
【図面の簡単な説明】
【００９３】
【図１】本発明に使用することができる血漿交換装置の一実施例の概略図である。
【図２】本発明に従って図１の装置に使用する体外配管回路、カセット組立体およびフィルタ/採取バッグ組立体を有する配管／バッグセットを示す図である。
【図３】図２のセットに示すものと同様なカセット組立体を示す図である。
【図４】図２のセットに示すものと同様なフィルタ/採取バッグ組立体を示す図である。
【図５】図２に示すもののような配管／バッグセットに有用な別のフィルタ／採取バッグ組立体を示す図である。
【図６】図２に示すもののような配管／バッグセットに有用な別のフィルタ／採取バッグ組立体を示す図である。
【図７】本発明による血漿交換装置の概略図である。
【図８】本発明による別の血漿交換装置の概略図である。
【図９】本発明による別の血漿交換装置の概略図である。
【図１０】図１、図２および図３に示すもののような配管／バッグセットに使用し得る別のカセット組立体の部分等角投影図である。
【図１１】別の血液処理容器／保存または添加剤溶液組立体を備えている以外、図２と同様な配管／バッグ組立体を示す図である。
【図１２】別の保存または添加剤溶液組立体を備えている以外、図１０と同様な配管／バッグ組立体を示す図である。
【図１３】他の保存または添加剤溶液組立体を備えている以外、図１０および図１１と同様な装置を示す図である。
【図１４】他の保存または添加剤溶液組立体および追加の塩水溶液組立体を備えている以外、図１０と同様な更に他の装置を示す図である。
【図１】
2005512623.tif 000003
【図２】
2005512623.tif 000004
【図３】
2005512623.tif 000005
【図４】
2005512623.tif 000006
【図５】
2005512623.tif 000007
【図６】
2005512623.tif 000008
【図７】
2005512623.tif 000009
【図８】
2005512623.tif 000010
【図９】
2005512623.tif 000011
【図１０】
2005512623.tif 000012
【図１１】
2005512623.tif 000013
【図１２】
2005512623.tif 000014
【図１３】
2005512623.tif 000015
【図１４】
2005512623.tif 000016
【国際調査報告】
2005512623.tif 000017
2005512623.tif 000018
2005512623.tif 000019
2005512623.tif 000020